(57)【要約】      （修正有）【課題】高温時、多湿時、雨天時等の悪条件下でスポーツを行う場合であっても、汗や雨による障害を可能な限り排除し、快適にスポーツをプレイすることが可能な帽子を提供する。【解決手段】帽子１０は、帽子本体２０とパッド本体３０を備える。帽子本体２０は、頭部を収容するための帽子開口部２２が形成されており、帽子開口部の内面に配置された雌マジックテープ（登録商標）を有する。パッド本体３０は、環状形状を有し、水分を吸収する素材で構成されたパッド本体と、パッド本体３１上に配置され、雌マジックテープ２１と着脱可能に締結される雄マジックテープと、を有する。そして、パッド本体３０は、帽子本体２０の開口部２２の端部、帽子エッジ２５からはみ出している。【選択図】図１
2014066000.tif 000002
【特許請求の範囲】
【請求項１】
頭部を収容するための開口部を有し、前記開口部の内面に配置された第一の締結部材を有する帽子本体と、  環状形状を有し、水分を吸収する素材で構成されたパッド本体と、前記パッド本体上に配置され、前記第一の締結部材と着脱可能に締結される第二の締結部材と、を有するパッドと、を備え、  前記パッド本体は、前記開口部の端部からはみ出していることを特徴とする帽子。
【請求項２】
請求項１に記載の帽子において、  前記第一の締結部材は、前記帽子本体の前方側内面に配置されていることを特徴とする帽子。
【請求項３】
請求項１または２に記載の帽子において、  前記パッド本体は、伸縮性を有する変形可能な素材で構成され、前記第一の締結部材と前記第二の締結部材で締結された部位以外は、前記帽子本体から離れる方向に移動可能なことを特徴とする帽子。
【請求項４】
請求項１から３のいずれかに記載の帽子において、  前記パッドは、前記パッド本体の一端部に取り付けられた第三の締結部材と、前記パッド本体の他端部に取り付けられ、前記第三の締結部材と着脱可能に締結される第四の締結部材とを有し、  前記パッド本体は前記第三の締結部材と前記第四の締結部材とが締結されたときに環状形状を成し、前記パッド本体は前記第三の締結部材と前記第四の締結部材とが締結されないときには長手形状を有することを特徴する帽子。
【請求項５】
請求項４に記載の帽子において、  前記第三の締結部材および前記第四の締結部材の何れか一方は、他方の締結部材と着脱可能に締結される締結部品と、前記締結部品と前記パッド本体のそれぞれに取り付けられ、前記締結部品と前記パッド本体との間の距離を可変とするように構成された接続部を有することを特徴とする帽子。
【請求項６】
請求項５に記載の帽子において、  前記接続部は、ひもであることを特徴とする帽子。
【請求項７】
請求項１から６のいずれかに記載の帽子において、  前記パッド本体は、装着時に額を覆うように前記開口部の端部からはみ出していることを特徴とする帽子。
【請求項８】
請求項１から７のいずれかに記載の帽子において、  前記パッド本体は、伸縮性を有する素材によって構成されていることを特徴とする帽子。
【請求項９】
請求項１から８のいずれかに記載の帽子において、  前記第一の締結部材は、フック上に起毛された第一の面ファスナー及びループ上に起毛された第二の面ファスナーのいずれか一方で構成され、  前記第二の締結部材は、前記第一の面ファスナー及び前記第二の面ファスナーのいずれか他方で構成され、  前記第一の面ファスナーと前記第二の面ファスナーは、形状に依存して前記帽子本体の上下方向に対して相対位置を可変させて装着させて、前記パッド本体の前記開口部からのはみ出し量を調節可能に構成されていることを特徴とする帽子。
【発明の詳細な説明】
【技術分野】
【０００１】
本発明は、人の頭を保護するためにかぶる帽子に関するものである。
【背景技術】
【０００２】
従来、帽子は、人の頭部を保護する基本的な装飾具として、古今東西の別を問わず広く用いられている。帽子は、ファッションアイテムの一つとしても用いられているが、基本的な用途としては、雨天時に視界近傍に直接雨が侵入するのを防いだり、太陽光線から頭部を保護するために頭部を覆って頭部の急激な温度上昇を防いだり、また気温の低い寒い地方においては、頭部を冷気から保護するために頭部を覆って、寒さをしのぐ等の目的のために用いられる。  
【０００３】
一般に、スポーツの分野においては、帽子はその機能の面からも、また伝統的なファッションの一部としても当然使用すべきアイテムとして広く用いられている。帽子を使用するスポーツの例としては、例えば、野球、ゴルフ、つり、テニス等が挙げられ、これら屋外で日の当たる場所で行うスポーツでは、当然被るものとされているものが多い。中でも、野球においては、野球帽はユニフォームの一つとして装着しないことはなく、同じようにゴルフにおいてもドレスコードの要件の一つして、帽子の着用が義務づけられるような場面が多い。  
【０００４】
これら屋外で行うスポーツの場合に起こる、帽子をかぶる弊害としては、帽子の縁から流れ落ちる汗の問題がある。帽子をかぶると帽子と頭との間で発生する汗の蒸発が抑制され、これらの汗が頭部をつたって流れ落ちてくるため、不快に感じる場面に遭遇する。特に、汗が額から目に向かって流れ落ちるような場面では、スポーツ時の集中の妨げとなる場合も散見される。たとえば、ゴルフにおいて、スイングの途中で汗が目に入り、これがミスショットの原因となる可能性もある。  
【０００５】
これらの帽子着用時の弊害を予防するため、すなわち流れ落ちる汗を食い止めるために、汗が流れ落ちないようにする汗止め機能を有する帽子が従来提案されている（特許文献１参照）。本特許文献１に記載の帽子では、帽子内側にタオルパットを装着し、流れ落ちる汗を食い止めるように構成されている。  
【０００６】
【特許文献１】実登3120991号公報
【発明の開示】
【発明が解決しようとする課題】
【０００７】
しかしながら、特許文献１に記載の帽子では、帽子の内部から流れ落ちる汗についてはある程度、額側への流出を抑制することができるが、真夏の高温時、または高湿度時等の高い発汗時には、十分な抑制が期待できるかといえば十分ではない。実際には、汗は頭部のみならず、帽子の縁から目の間の額部分からも発生し、額の汗が目に浸入するような場面も見受けられる。  
【０００８】
また、雨天時には、たとえ帽子の内側にタオルパットが装着されていても、帽子の下部の額近傍に雨が付着し、それが水滴となって目に侵入するような状況も発生する。    
【０００９】
以上のように、高温時、多湿時、雨天時等の悪条件下でスポーツを行う場合には、どうしても汗や雨といった二次的な障害との戦いをプレーヤーは強いられざるを得ず、ベストコンディションでプレイを行いにくいという問題が発生する。  
【００１０】
そこで、本発明は、一例として、高温時、多湿時、雨天時等の悪条件下でスポーツを行う場合であっても、汗や雨による障害を可能な限り排除し、快適にスポーツをプレイすることが可能な帽子を提供することを目的とする。
【課題を解決するための手段】
【００１１】
上記課題を解決するための本発明に関わる帽子は、  頭部を収容するための開口部を有し、開口部内面に配置された第一の締結部材を有する帽子本体と、  環状形状を有し、水分を吸収する素材で構成されたパッド本体と、パッド本体上に配置され、第一の締結部材と着脱可能に締結される第二の締結部材と、を有するパッドと、を備え、  パッド本体は、開口部の端部からはみ出していることを特徴とする。  
【００１２】
上記本発明に関わる帽子によれば、パッド本体が帽子の開口部の端部からはみ出しているので、帽子の装着者の額の一部または全部を覆うことが可能である。したがって、額からにじみ出た汗、帽子の縁からしたたり落ちる汗、および額にふりかかる雨滴が額をつたって目に向かって流れ落ちようとした場合であっても、目に流れ込むこれら水分を抑制または皆無とすることができる。これにより、汗や雨による障害を可能な限り排除し、快適にスポーツをプレイすることが可能となる。  
【００１３】
また、パッドは、第一の締結部材及び第二の締結部材を介して、帽子本体に対して着脱可能に取り付けられているので、パッド本体が汗や皮脂によって汚れた場合であっても、簡単に取り外しを行い、パッド単独で洗濯を行い、常に快適な状態で帽子を装着することが可能となる。  
【００１４】
また本発明に関わる帽子において、第一の締結部材は、帽子本体の前方側内面に配置されていることが好ましい。  
【００１５】
上記本発明に関わる帽子によれば、帽子本体とパッド本体とは、帽子の前方部分で締結されているので、帽子の両側方部分及び後方部分は、帽子本体とパッド本体とが離れる方向に移動可能なように構成することができる。したがって、帽子装着時には、帽子本体とパッドとを同時に装着する必要がなく、パッド本体と帽子本体とが締結された状態で、パッドを装着者それぞれの頭部の形状に応じた最適な状態で取り付けた後、帽子本体をかぶることができる。これにより、帽子本体とパッドとの相対的な位置関係、およびパッドと頭部との相対的な位置関係、ひいては帽子本体と頭部との相対的な位置関係を最適化することができ、装着感に違和感がない状態で帽子を装着することができる。  
【００１６】
また本発明に関わる帽子において、パッド本体は、変形可能な素材で構成され、第一の締結部材と第二の締結部材で締結された部位以外は、帽子本体から離れる方向に移動可能なことが好ましい。  
【００１７】
上記本発明に関わる帽子によれば、パッド本体が変形な素材で構成されているので、装着時に容易に変形させて好みの形状に装着することができる。また、第一の締結部材と第二の締結部材で締結された部位以外は、帽子本体から離れる方向に移動可能なため、帽子装着時には、帽子本体とパッドとを同時に装着する必要がなく、パッド本体と帽子本体とが締結された状態で、パッドを装着者それぞれの頭部の形状に応じた最適な状態で取り付けた後、帽子本体をかぶることができる。これにより、帽子本体とパッドとの相対的な位置関係、およびパッドと頭部との相対的な位置関係、ひいては帽子本体と頭部との相対的な位置関係を最適化することができ、装着感に違和感がない状態で帽子を装着することができる。  
【００１８】
また本発明に関わる帽子において、  パッドは、パッド本体の一端部に取り付けられた第三の締結部材と、パッド本体の他端部に取り付けられ、第三の締結部材と着脱可能に締結される第四の締結部材とを有し、  パッド本体は第三の締結部材と第四の締結部材とが締結されたときに環状形状を成し、パッド本体は第三の締結部材と第四の締結部材とが締結されないときには長手形状を有することが好ましい。  
【００１９】
上記本発明に関わる帽子によれば、パッドは、第三の締結部材と第四の締結部材により着脱可能に構成され、かつこれら第三の締結部材と第四の締結部材とが締結されたときに環状形状を成すように構成されているので、装着前はパッドを被るような動作をすることなく、パッドを額側に引っかけて、パッドの両端部を両手度それぞれ後頭部側に回し、後頭部側で第三の締結部材と第四の締結部材とを締結させることで容易に装着することが可能となる。  
【００２０】
また本発明に関わる帽子において、  第三の締結部材および第四の締結部材の何れか一方は、他方の締結部材と着脱可能に締結される締結部品と、締結部品とパッド本体のそれぞれに取り付けられ、締結部品とパッド本体との間の距離を可変とするように構成された接続部を有することが好ましい。  
【００２１】
上記本発明に関わる帽子によれば、パッドは、第三の締結部材と第四の締結部材の何れか一方を介して、締結部品とパッド本体との間の距離が可変であるので、第三の締結部材と第四の締結部材とを締結し、環状形状を成したときの環の周長を調整することができる。したがって、頭の大きさの個人差をこの周長を調整することでうめることができ、万人にとって装着感のよいパッド、ひいてはパッド付き帽子を提供し、どのような人であっても、目に流れ込む汗や雨といった水分を抑制または皆無とすることができる。これにより、汗や雨による障害を可能な限り排除し、快適にスポーツをプレイすることが可能となる。  
【００２２】
また本発明に関わる帽子において、接続部は、例えば、ひもであることが好ましい。  
【００２３】
また本発明に関わる帽子において、パッド本体は、装着時に額を覆うように開口部の端部からはみ出していることが好ましい。パッド本体は、額を覆うように開口部の端部からはみ出す問いことは、実質的に、少なくとも帽子の前方側の領域においてパッド本体が開口部の端部からはみ出していることを意味する。このように構成されていることで、帽子の装着者の額の一部または全部を覆うことが可能である。したがって、額からにじみ出た汗、帽子の縁からしたたり落ちる汗、および額にふりかかる雨滴が額をつたって目に向かって流れ落ちようとした場合であっても、目に流れ込むこれら水分を抑制または皆無とすることができる。これにより、汗や雨による障害を可能な限り排除し、快適にスポーツをプレイすることが可能となる。  
【００２４】
また本発明に関わる帽子において、パッド本体は、長手方向に伸縮性を有する素材によって構成されていることが好ましい。  
【００２５】
上記本発明に関わる帽子によれば、 パッドの周長調整としては、上述したように締結部品とパッド本体との間に接続部を設ける形状も考えられるが、パッド本体自身が、伸縮性を持ち、たとえば、パッドの両端を互いに離れる方向にひっぱったときに、パッド本体が1.5倍程度伸縮するように構成されているようにすることもできる。これにより、頭の大きさの個人差をこの周長を調整することでうめることができ、また頭部に対して張り付く方向に作用するように構成されることとなるので、万人にとって装着感のよいパッド、ひいてはパッド付き帽子を提供し、どのような人であっても、目に流れ込む汗や雨といった水分を抑制または皆無とすることができる。これにより、汗や雨による障害を可能な限り排除し、快適にスポーツをプレイすることが可能となる。  
【００２６】
また本発明に関わる帽子において、第一の締結部材は、フック上に起毛された第一の面ファスナー及びループ上に起毛された第二の面ファスナーのいずれか一方で構成され、  第二の締結部材は、第一の面ファスナー及び第二の面ファスナーのいずれか他方で構成され、  第一の面ファスナーと第二の面ファスナーは、形状に依存して帽子本体の上下方向に対して相対位置を可変させて装着させて、パッド本体の前記開口部からのはみ出し量を調節可能に構成されていることが好ましい。  
【００２７】
上記本発明に関わる帽子によれば、第一の締結部材及び第二の締結部材がそれぞれ面ファスナー、たとえばマジックテープ（登録商標）等で構成されているので、面ファスナーの形状によって、それぞれの締結部材を帽子の上下方向に多少ずらして配置することができる。したがって、面ファスナーを利用することにより、パッド本体の前記開口部からのはみ出し量を調整でき、人によって大きさの違う額形状に応じて、装着者がはみ出し量を適切に設定し、帽子を装着することで、どのような人であっても、目に流れ込む汗や雨といった水分を抑制または皆無とすることができる。これにより、 汗や雨による障害を可能な限り排除し、快適にスポーツをプレイすることが可能となる。  
【００２８】
本発明に関わる帽子は、その用途として、帽子を被る必要性がある状況下で汗や雨滴が作業に障害
となるような場面で用いると効果的である。そのような場面としては、野球やゴルフ等のスポーツ時、農作業時、炎天下での工事作業現場等が考えられる。  
【００２９】
本発明に関わる帽子は、頭部に装着する保護具を意味するものであって、布製の等の柔らかい帽子に限られることはなく、例えば布よりも堅い素材で構成されたヘルメット等に適用してもよい。
【発明の効果】
【００３０】
上記本発明に関わる帽子によれば、帽子本体とパッド本体とは、帽子の前方部分で締結されているので、帽子の両側方部分及び後方部分は、帽子本体とパッド本体とが離れる方向に移動可能なように構成することができる。したがって、帽子装着時には、帽子本体とパッドとを同時に装着する必要がなく、パッド本体と帽子本体とが締結された状態で、パッドを装着者それぞれの頭部の形状に応じた最適な状態で取り付けた後、帽子本体をかぶることができる。これにより、帽子本体とパッドとの相対的な位置関係、およびパッドと頭部との相対的な位置関係、ひいては帽子本体と頭部との相対的な位置関係を最適化することができ、装着感に違和感がない状態で帽子を装着することができる。
【発明を実施するための最良の形態】
【００３１】
以下、本発明に係る帽子の実施の形態の例について、図面を参照しつつ詳細に説明する。  図１から図８は、本発明に係る帽子の実施の一形態としての帽子を示したものであって、図１は本実施形態の帽子を装着した状況を示す側面図、図２は本実施形態の帽子の斜視図、図３は本実施形態の帽子本体を下方から内側を見る方向にみた図、図４は本実施形態のパッドを示す図、図５は本実施形態の帽子本体とパッドとの相対関係を示す概略側面図、図６は図５においてパッドが変形した状態における本実施形態の帽子本体とパッドとの相対関係を示す概略側面図、図７は本実施形態の帽子を装着する状態を示す側面図、図８は、本実施形態の帽子を装着する状態を示す背面図（後頭部側から見た図）である。  
【００３２】
本実施の形態の帽子は、一例として、野球やゴルフ等のスポーツ時に着用されるキャップ型の帽子である。  
【００３３】
本発明にかかわる実施の形態として示した帽子１０は、図１に示すように、人１００の頭部に装着され頭部を保護する、いわゆるキャップである。帽子１０は、目前の太陽光や雨滴の目への進入を防ぐつば２３がついたものであって、さらに帽子エッジ（帽子縁）２５からパッド３０が下方向にはみ出した構造を有している。  
【００３４】
パッド３０の帽子エッジ２５からのはみ出し量としては、例えば、人１００の耳１０１が半分隠れる程度、人１００の目１０２が隠れない程度に額を覆う程度のはみ出し量が好ましい。より好ましくは、額のほぼすべてを覆い目１０２の上部の眉毛にかかるかかからないかくらいの程度のはみ出し量が好ましい。額の大きさは、個人差が大きいので一概には言えないが、例えば平均的なはみ出し量としては、2cm以上で5cm以下が好ましく、さらに3cm以上で5cm以下がさらに好ましい。  
【００３５】
図２は、帽子１０の斜視図である。帽子１０の帽子本体２０は、例えば布地または合成化学繊維を素材とする生地で構成され、外部で使用する場合には、たとえば図２にしめすように通気性のよい小さな開口部が多数設けられたメッシュ生地を採用することもできる。パッド３０のパッド本体３１の帽子本体２０の後方側には、パッド本体３１を円環形状に着脱可能に締結するパッド締結部３０ａが設けられている。  
【００３６】
図３は、帽子本体２０を下部から頭部を収容する内側に向かって見た平面図である。帽子本体２０には、頭部の大きさに合わせて形成され頭部を収容する頭部開口部２２が開口している。帽子本体２０の前方側には、太陽光や雨滴が目に直接進入することを防ぐつば２３が形成されている。帽子開口部２２の頭部との接触面となる帽子内面２４上の帽子前方側、すなわちつば２３の中央に位置近傍には、締結部材として構成される雌マジックテープ２１が縫い付けまたは貼り付けられている。  
【００３７】
雌マジックテープ２１は、いわゆる面ファスナーの一種であって、多数のループ上に起毛され表面形状を有する。この雌マジックテープ２１は、後述するパッド３０上に取り付けられた雄マジックテープ３７と着脱可能に締結される。この説明については、後述する。  
【００３８】
図４は、パッド３０の形状を表す平面図である。パッド３０は、柔軟性を有し、形状が変化可能なパッド本体３１とパッド本体３１の一方の端部３８と他方の端部３９とを締結するパッド締結部３０ａと備えている。  
【００３９】
パッド本体３１は、単体では、長手形状を有するタオル地を成す布製の生地で構成されており、柔らかく布のねじれのびの範囲で変形可能に構成されている。このパッド本体３１は、たとえば一般にタオル地に使用されるような綿糸、化学合成繊維等を編むまたは所定の生地に植毛して構成されたもので、水分を吸収して保持する機能を有している。具体的には、パッド本体３１は、 吸水性や肌触りに特化するため、その多くでは表面にループ状の細かい糸（輪奈）が飛び出している布地で、基となっている布地は粗く通気性に富むものを使用することができる。緯糸を織り込む際に、たて糸の一部（パイル糸）を緩めて布地にループ状の部分を形成し、保温性、保湿性、吸水性を高めたものを使用することができ、パイルが片面のものと両面のものであってもよい。パッド本体３１は、その吸湿性から、タオル、子供服、帽子、夏用衣類に使用されるものを用いることができ、抗菌加工が施されていてもよい。  
【００４０】
パッド３０は、パッド本体３１を円環形状に締結するためのパッド締結部３０ａが設けられている。このパッド締結部３０ａは、パッド本体３１の長手方向における一方の端部３８に取り付けられた第一のパッド締結部材３５と、パッド本体３１の長手方向における他方の端部３９に取り付けられた第二のパッド締結部材３２とを備えている。  
【００４１】
第一のパッド締結部材３５は、パッド本体３１の一方の端部３８に縫い付けられて固定されたひも３６ｂと、ひも３６ｂに係合した締結部品としての雌フック３６ａとを有している。また、第二のパッド締結部材３２は、パッド本体３１の他方の端部３９に取り付けられたひも３３と、ひも３３に対して相対移動および位置固定可能に係合した締結部品としての雄フック３４とを備えている。  
【００４２】
雌フック３６ａおよび雄フック３４は、それぞれプラスチック樹脂製であって、互いに着脱可能に締結される係合部品である。雌フック３６ａと雄フック３４とが互いに係合するように締結すると、パッド本体３１は、両端部３８，３９が結びつけられ円環形状を成すように構成することができる。この円環形状、帽子本体２０の帽子開口部２２の帽子エッジ２５の帽子内径面側周方向形状とほぼ一致するまたは８０％から１００％弱ほどの範囲で若干小さくなるような形状を成している。  
【００４３】
また、雄フック３４には、ひも３３の係合位置が相対的に位置可変に締結するためのひも長さ調整ホール３４ａが設けられている。ひも３３は、このひも長さ調整ホール３４ａに自分自身の摩擦力ですべりどめとなるように通されて固定されることにより、雄フック３４とパッド本体３１の他方の端部３９との相対距離、すなわちひも３３の実質的なひも長さが調整される。  
【００４４】
また、パッド本体３１は、生地そのものまたはパッド本体３１の内部に伸縮性のあるゴムが埋め込まれており、その長手方向に伸縮可能に構成されている。パッド本体３１の長さとしては、帽子１０を装着すると考えられるターゲットの頭部サイズに応じて調整可能であるが、たとば、ターゲットとして想定する頭部サイズよりも８０&#12316;９０％程度短くしておくことが好ましい。そして、パッド本体３１の伸縮の幅としては、例えば、力を加えないフリーな状態でのパッド本体３１の長手方向長さに対して、１．１&#12316;１．８倍程度伸縮する構成とすることが好ましく、１．２&#12316;１．５倍程度伸縮するように構成しておくことがより好ましい。これは、パッド本体３１の頭部に装着したときの装着感および後述する汗や雨滴等の吸収に関わるものであって、パッド本体３１の伸縮性が少なすぎると、個々にことなる頭部のサイズや形状に応じてパッド３１の装着感が悪くなり、伸縮性が多すぎるとパッド本体３１と頭部との間に隙間ができることを予防するものである。  
【００４５】
また図４に示すように、パッド本体３１の長手方向中央近傍には、雄パッド本体３１の幅方向の一方側には、雄マジックテープ３７が縫い付けまたは貼り付けにより取り付けられている。雄マジックテープ３７は、いわゆる面ファスナーの一種であって、多数のフック上に起毛され表面形状を有する。この雄マジックテープ３７は、先述したパッド３０上に取り付けられた雄マジックテープ３７と着脱可能に締結されるものであって、雄マジックテープ３７の多数のフック上に起毛された部位と雌マジックテープ２１の多数のループ上に起毛された部位が互いに人手により着脱可能な程度で係合することにより締結され、帽子本体２０に対してパッド３０が着脱可能に取り付けられる。  
【００４６】
この雄マジックテープ３７は、パッド本体３１の幅方向の一方側のエッジ側に、すなわち幅方向において偏った位置に取り付けられている。幅方向において、マジックテープ３７が取り付けられた側と反対側、パッド下部３１ａが帽子本体２０への取り付け時の帽子エッジ２５からのはみ出し部分となる。  
【００４７】
また、これら雄マジックテープ３７と雌マジックテープ２１とは、それぞれパッド本体３１の幅方向に対して、それぞれの取り付け領域が幅を持って構成されている。この幅は、10mmから20mm程度設けられていることが好ましいが、これに限るものではない。そして、雄マジックテープ３７と雌マジックテープ２１とは、パッド本体３１の幅方向に対して、その取り付け領域の範囲内で上下方向に互いの相対位置を適宜ずらして締結させることが可能である。これにより、パッド３０を帽子本体２０に取り付けたときに、パッド本体３１のパッド下部３１ａのはみ出し量をこの雄マジックテープ３７と雌マジックテープ２１の取り付け領域の範囲に応じて微調整することができる。また、これら雄マジックテープ３７と雌マジックテープ２１とは、帽子１０の装着者が帽子１０を脱いだときに、簡単には外れない程度の締結力でパッド３０と締結されている。このような締結力は、一般的に市場に出回っているマジックテープ同士の締結力で実現可能である。  
【００４８】
図５は、帽子本体２０とパッド３０との相対的位置関係を示す概略側面図であり、図６は、図５においてパッドが変形した状態における帽子本体２０とパッド３０との相対的位置関係を示す概略側面図である。  
【００４９】
図５に示すように、帽子本体２０のつば２３側、すなわち帽子本体２０の帽子内面２４の前方側においてパッド３０に設けられた雄マジックテープ３７と帽子本体に設けられた雌マジックテープ２１が締結され、 帽子本体・パッド締結部４０を構成する。このとき、パッド３０のパッド下部３１ａが帽子本体２０の帽子エッジ２５からはみだす。  
【００５０】
また、図６に示すように、パッド３０のパッド本体３１は、タオル地を成す布製の生地で構成されており、柔らかく布のねじれのびの範囲で変形可能に構成されているため、帽子本体・パッド締結部４０を基準として、パッド本体３１は帽子本体２０に対して変形可能である。例えば、つば２３のみを手で持って帽子１０を持ち上げた場合には、帽子本体・パッド締結部４０を基準として、パッド本体３１は、重力により下方に垂れ下がる。このような状態は、重力によってのみならず、パッド本体３１と帽子本体２０とをそれぞれ両手で持った場合等でも構成することができ、つば２３を一方の手で持ち、他方の手でパッド本体３１を持って動かすことが可能である。この特徴は、帽子１０を装着する時の装着性を高める効果をもたらす。  
【００５１】
図７は、帽子１０を装着する状態を示す概略側面図であり、図８は、帽子１０を装着する状態を示す概略背面図（後頭部側
から見た図）である。  帽子１０を装着するときには、まず図６に示すように、雄マジックテープ３７と雌マジックテープ２１とを締結させて、帽子本体２０に対してパッド３０を取り付けておく。そして、また、装着前に、ひも３３とひも長さ調整ホール３４ａとを用いてひも３３の実質的な長さ、すなわち 雄フック３４とパッド本体３１の他方の端部３９との相対距離を調整し、装着者１００の頭部１１０のサイズに応じてパッド３０の円環形状の大きさを調整する。その後、雄フック３４と雌フック３６ａとを係合・締結させ、パッド３０を円環形状に構成し、頭部１００上方からかぶるようにしてパッド３０のみを装着する。ここで装着者によっては、パッド３０が長手形状の状態でパッド３０を頭部１１０に沿わせるように配置し、装着時に 雄フック３４と雌フック３６ａとを係合・締結させてもよい。このパッド３０を頭部１１０に装着させた状態が図７、図８に示されている。  
【００５２】
その後、図８の矢印２００に示す方向に、帽子本体２０を下方に押し下げて帽子本体２０を頭部１１０にかぶる。このとき、帽子本体２０の帽子エッジ２５がパッド３０の外側面に覆い被さるようにすると、図１に示すような、帽子装着状態をとることができる。この状態で、額が十分に覆われていない、または装着感に違和感がある場合には、雄マジックテープ３７と雌マジックテープ２１との取り付け位置を微調整したり、ひも３３の長さを調整したりすることにより、装着感が増すようにするとよい。  
【００５３】
図１の状態となった時には、パッド３０が適宜円環形状のサイズを調整することにより、パッド本体３１の伸縮性によって頭部１１０が窮屈または苦しくない程度に適度に付勢していることが好ましい。このような状態であれば、頭部または額で発生した汗、または進入した雨滴が帽子１０から頭部１１０の表面を伝って目、鼻または頬等に流れ出ることが無く、スポーツ時であっても、自身の汗や雨滴に邪魔されず、快適にプレイを行うことが可能である。  
【００５４】
以上説明したように本実施形態に関わる帽子１０は、頭部１１０を収容するための帽子開口部２２を有し、帽子開口部２２の帽子内面２４に配置された雌マジックテープ２１を有する帽子本体２０と、環状形状を有し、水分を吸収する素材で構成されたパッド本体３１と、パッド本体３１上に配置され、雌マジックテープ２１と着脱可能に締結される雄マジックテープ３７と、を有するパッド３０と、を備えている。そして、パッド本体３１は、帽子１０の帽子開口部２２の帽子エッジ２５からはみ出している。  
【００５５】
これにより、パッド本体３１が帽子本体２１の帽子開口部２２の帽子エッジ２５からはみ出しているので、帽子１０の装着者の額の一部または全部をパッド３０で覆うことが可能である。したがって、額からにじみ出た汗、帽子の縁からしたたり落ちる汗、および額にふりかかる雨滴が額をつたって目に向かって流れ落ちようとした場合であっても、目に流れ込むこれら水分を抑制または皆無とすることができる。これにより、汗や雨による障害を可能な限り排除し、快適にスポーツをプレイすることが可能となる。  
【００５６】
また、パッド３０は、マジックテープを介して、帽子本体に対して着脱可能に取り付けられているので、パッド３０が汗や皮脂によって汚れた場合であっても、簡単に取り外しを行い、パッド本体単独で洗濯を行い、常に快適な状態で帽子を装着することが可能となる。一方で、帽子１０を脱いだときに、簡単には外れない程度の締結力でパッド３０と締結されているので、帽子１０を脱いだときに簡単に外れることが無く、スポーツ時等で少し帽子を脱ぎたいと思った場合でも、帽子本体２０とパッド３０とが一体となった状態で頭から帽子１０を脱ぐことができるので、再度かぶる場合でも容易にかぶることができる。  
【００５７】
また、帽子１０において、雌マジックテープ２１は、帽子本体２０の前方側内面に配置されていることが好ましい。  これによれば帽子本体２０とパッド３０とは、帽子本体２０の前方部分で締結されているので、帽子の両側方部分及び後方部分は、帽子本体２０とパッド３０とが離れる方向に移動可能なように構成することができる。したがって、帽子装着時には、帽子本体２０とパッド３０とを同時に装着する必要がなく、パッド３０と帽子本体２０とが締結された状態で、パッド３０を装着者それぞれの頭部の形状に応じた最適な状態で取り付けた後、帽子本体をかぶることができる。これにより、帽子本体２０とパッドとの相対的な位置関係、およびパッド３０と頭部との相対的な位置関係、ひいては帽子本体２０と頭部との相対的な位置関係を最適化することができ、装着感に違和感がない状態で帽子を装着することができる。  
【００５８】
また、パッド本体３１は、変形可能な素材で構成され、マジックテープ同士で締結された 帽子本体・パッド締結部４０以外は、帽子本体から離れる方向に移動可能なことが好ましい。  
【００５９】
上記本実施形態に関わる帽子１０によれば、パッド本体３１が変形な素材で構成されているので、装着時に容易に変形させて好みの形状に装着することができる。また、帽子本体・パッド締結部４０以外は、帽子本体２０からパッド３０が離れる方向に移動可能なため、帽子装着時には、帽子本体２０とパッド３０とを同時に装着する必要がなく、パッド３０と帽子本体２０とが締結された状態で、パッド３０を装着者それぞれの頭部の形状に応じた最適な状態で取り付けた後、帽子本体２０をかぶることができる。これにより、帽子本体２０とパッド３０との相対的な位置関係、およびパッド３０と頭部との相対的な位置関係、ひいては帽子本体２０と頭部との相対的な位置関係を最適化することができ、装着感に違和感がない状態で帽子を装着することができる。  
【００６０】
上記本実施形態に関わる帽子１０によれば、パッド３０は、雌フック３６ａを備えた第一のパッド締結部材３５と雄フック３４を備えた第二のパッド締結部材３２とにより着脱可能に構成され、かつこれら締結部材同士が締結されたときに環状形状を成すように構成されているので、装着前はパッド３０を被るような動作をすることなく、パッド３０を額側に引っかけて、パッド本体３１の両端部を両手度それぞれ後頭部側に回し、後頭部側で両締結部材３２，３５とを締結させることで容易に装着することが可能となる。  
【００６１】
上記本実施形態に関わる帽子１０によれば、パッド３０は、ひも３３の長さを調整することにより雄フック３４とパッド本体３１との距離が可変であるので、パッド３０が環状形状を成したときの環の周長を調整することができる。したがって、頭の大きさの個人差をこの周長を調整することでうめることができ、万人にとって装着感のよいパッド、ひいてはパッド付き帽子１０を提供し、どのような人であっても、目に流れ込む汗や雨といった水分を抑制または皆無とすることができる。これにより、汗や雨による障害を可能な限り排除し、快適にスポーツをプレイすることが可能となる。  
【００６２】
また、本実施形態の帽子１０によれば、帽子本体２０とパッド３０とをマジックテープ、すなわち面ファスナーで構成しているので、マジックテープの形状によって、パッド３０を帽子本体２０の上下方向に多少ずらして配置することができる。したがって、パッド本体３１の前記開口部からのはみ出し量を調整でき、人によって大きさの違う額形状に応じて、装着者がはみ出し量を適切に設定し、帽子を装着することで、どのような人であっても、目に流れ込む汗や雨といった水分を抑制または皆無とすることができる。これにより、 汗や雨による障害を可能な限り排除し、快適にスポーツをプレイすることが可能となる。  
【００６３】
本実施形態の帽子１０は、その用途として、帽子を被る必要性がある状況下で汗や雨滴が作業に障害となるような場面で用いると効果的である。そのような場面としては、野球やゴルフ等のスポーツ時、農作業時、炎天下での工事作業現場等が考えられる。  
【００６４】
図９は、上記実施形態と別の実施形態におけるパッド１３０の形状を表す平面図である。パッド１３０は、柔軟性を有し、形状が変化可能なパッド本体１３１とパッド本体１３１の一方の端部１３８と他方の端部１３９とを締結するパッド締結部１３０ａと備えている。  
【００６５】
パッド本体１３１は、単体では、長手形状を有するタオル地を成す布製の生地で構成されており、柔らかく布のねじれのびの範囲で変形可能に構成されている。このパッド本体１３１は、たとえば一般にタオル地に使用されるような綿糸、化学合成繊維等を編むまたは所定の生地に植毛して構成されたもので、水分を吸収して保持する機能を有している。具体的には、パッド本体１３１は、 吸水性や肌触りに特化するため、その多くでは表面にループ状の細かい糸（輪奈）が飛び出している布地で、基となっている布地は粗く通気性に富むものを使用することができる。緯糸を織り込む際に、たて糸の一部（パイル糸）を緩めて布地にループ状の部分を形成し、保温性、保湿性、吸水性を高めたものを使用することができ、パイルが片面のものと両面のものであってもよい。パッド本体１３１は、その吸湿性から、タオル、子供服、帽子、夏用衣類に使用されるものを用いることができ、抗菌加工が施されていてもよい。  
【００６６】
本実施形態のパッド１３０におけるパッド本体１３１は、先の実施形態におけるパッド３０のパッド本体１３１と比べて長手方向長さＷが短く、装着者が装着したときに、概ね額の部分だけがパッド１３１に覆われ、額から左右両側方をそれぞれ回って後頭部でパッド締結部１３０ａの第一のパッド締結部材１３５と第二のパッド締結部材１３２とで互いに係合して固定される迄の間の部分は、パッドに比べて相対的に細いひも１３３，１３６ｂで構成されている。  
【００６７】
より詳細に説明すると、パッド１３０は、パッド本体１３１を円環形状に締結するためのパッド締結部１３０ａが設けられている。このパッド締結部１３０ａは、パッド本体１３１の長手方向における一方の端部１３８に取り付けられた第一のパッド締結部材１３５と、パッド本体１３１の長手方向における他方の端部３９に取り付けられた第二のパッド締結部材１３２とを備えている。  
【００６８】
第一のパッド締結部材１３５は、パッド本体１３１の一方の端部１３８に縫い付けられて固定されたひも１３６ｂと、ひも１３６ｂに係合した締結部品としての雌フック１３６ａとを有している。また、第二のパッド締結部材１３２は、パッド本体１３１の他方の端部１３９に取り付けられたひも１３３と、ひも１３３に対して相対移動および位置固定可能に係合した締結部品としての雄フック１３４とを備えている。  
【００６９】
雌フック１３６ａおよび雄フック１３４は、それぞれプラスチック樹脂製であって、互いに着脱可能に締結される係合部品である。雌フック１３６ａと雄フック１３４とが互いに係合するように締結すると、パッド本体１３１は、両端部１３８，１３９が結びつけられ円環形状を成すように構成することができる。この円環形状、帽子本体２０の帽子開口部２２の帽子エッジ２５の帽子内径面側周方向形状とほぼ一致するまたは８０％から１００％弱ほどの範囲で若干小さくなるような形状を成している。  
【００７０】
また、雄フック１３４には、ひも１３３の係合位置が相対的に位置可変に締結するためのひも長さ調整ホール１３４ａが設けられている。ひも１３３は、このひも長さ調整ホール１３４ａに自分自身の摩擦力ですべりどめとなるように通されて固定されることにより、雄フック１３４とパッド本体１３１の他方の端部１３９との相対距離、すなわちひも１３３の実質的なひも長さが調整される。  
【００７１】
また、パッド本体１３１は、生地そのものまたはパッド本体１３１の内部に伸縮性のあるゴムが埋め込まれており、その長手方向に伸縮可能に構成されている。本実施形態におけるパッド本体１３１の長さとしては、帽子１０を装着すると考えられるターゲットの頭部サイズに応じて調整可能であるが、平均的な頭部の外周径を想定した場合に、一方のこめかみから他方のこめかみ
程度までにわたる長さとしておくことが好ましい。より具体的にいえば、力を加えないフリーな状態で１５〜２５ｃｍ程度、より好ましくは、１８〜２２ｃｍとしておくことが好ましい。そして、パッド本体１３１の伸縮の幅としては、例えば、力を加えないフリーな状態でのパッド本体１３１の長手方向長さに対して、１．１〜１．５倍程度伸縮する構成とすることが好ましく、１．１〜１．３倍程度伸縮するように構成しておくことがより好ましい。これは、パッド本体１３１の頭部に装着したときの装着感および後述する汗や雨滴等の吸収に関わるものであって、パッド本体１３１の伸縮性が少なすぎると、個々にことなる頭部のサイズや形状に応じてパッド１３１の装着感が悪くなり、伸縮性が多すぎるとパッド本体１３１と頭部との間に隙間ができることを予防するものである。  
【００７２】
また図９に示すように、パッド本体１３１の長手方向中央近傍には、雄パッド本体１３１の幅方向の一方側には、雄マジックテープ１３７が縫い付けまたは貼り付けにより取り付けられている。雄マジックテープ１３７は、いわゆる面ファスナーの一種であって、多数のフック上に起毛され表面形状を有する。この雄マジックテープ１３７は、先述したパッド３０上に取り付けられた雄マジックテープ１３７と着脱可能に締結されるものであって、雄マジックテープ１３７の多数のフック上に起毛された部位と雌マジックテープ２１の多数のループ上に起毛された部位が互いに人手により着脱可能な程度で係合することにより締結され、帽子本体２０に対してパッド１３０が着脱可能に取り付けられる。  
【００７３】
この雄マジックテープ１３７は、パッド本体１３１の幅方向の一方側のエッジ側に、すなわち幅方向において偏った位置に取り付けられている。幅方向において、マジックテープ１３７が取り付けられた側と反対側、パッド下部１３１ａが帽子本体２０への取り付け時の帽子エッジ２５からのはみ出し部分となる。  
【００７４】
また、これら雄マジックテープ１３７と雌マジックテープ２１とは、それぞれパッド本体１３１の幅方向に対して、それぞれの取り付け領域が幅を持って構成されている。この幅は、10mmから20mm程度設けられていることが好ましいが、これに限るものではない。そして、雄マジックテープ１３７と雌マジックテープ２１とは、パッド本体１３１の幅方向に対して、その取り付け領域の範囲内で上下方向に互いの相対位置を適宜ずらして締結させることが可能である。これにより、パッド１３０を帽子本体２０に取り付けたときに、パッド本体１３１のパッド下部１３１ａのはみ出し量をこの雄マジックテープ１３７と雌マジックテープ２１の取り付け領域の範囲に応じて微調整することができる。また、これら雄マジックテープ１３７と雌マジックテープ２１とは、帽子１０の装着者が帽子１０を脱いだときに、簡単には外れない程度の締結力でパッド１３０と締結されている。このような締結力は、一般的に市場に出回っているマジックテープ同士の締結力で実現可能である。  
【００７５】
なお、本発明に関わる帽子は、頭部に装着する保護具を意味するものであって、布製の等の柔らかい帽子に限られることはなく、例えば布よりも堅い素材で構成されたヘルメット等に適用してもよい。また、本実施形態では、例として、キャップ型の帽子を用いて説明を行ったが、これ以外のつばがエッジに沿って一周回っているいわゆるハット型の帽子であっても、またつばが無いタイプの帽子であっても適用することができる。  
【００７６】
また、本発明に関わる帽子は、帽子本体とパッドとの締結に面ファスナーを、そして面ファスナーとしてマジックテープを例示しているが、これに限られる物ではなく、帽子とパッドとを適宜着脱可能に取り付けられるものであっても良い。たとえば、凹凸２種のボタン等も考えられるが、取り付け位置をずらせるものとしては、マジックテープがより好ましい。  
【００７７】
また、本発明に関わる帽子は、帽子前面側にマジックテープを取り付ける構成を例示したが、これに限られるものではなく、帽子周方向の複数箇所にマジックテープ等の締結部材を取り付ける構成であってもよい。ただし、帽子の着脱性を考えると、少なくとも前方側に締結部材があるのが好ましく、前方側にのみあることにより着脱性がさらに向上する。
【図面の簡単な説明】
【００７８】
【図１】本発明に関わる実施形態の帽子を装着した状況を示す側面図である。
【図２】本発明に関わる実施形態の帽子の斜視図である。
【図３】本発明に関わる実施形態の帽子本体を下方から内側を見る方向にみた図である。
【図４】本発明に関わる実施形態のパッドを示す図である。
【図５】本発明に関わる実施形態の帽子本体とパッドとの相対関係を示す概略側面図である。
【図６】図５においてパッドが変形した状態における本発明に関わる実施形態の帽子本体とパッドとの相対関係を示す概略側面図である。
【図７】本発明に関わる実施形態の帽子を装着する状態を示す側面図である。
【図８】本発明に関わる実施形態の帽子を装着する状態を示す背面図（後頭部側から見た図）である。
【符号の説明】
【００７９】
１０  帽子２０  帽子本体２１  雌マジックテープ２２  帽子開口部２３  つば２４  帽子内面２５  帽子エッジ（帽子縁）２６  帽子前方側内径面３０  パッド３０ａ  パッド締結部３１  パッド本体３１ａ  パッド下部３２  第二のパッド締結部材３３  ひも３４  雄フック３４ａ  ひも長さ調整ホール３５  第一のパッド締結部材３６ａ  雌フック３６ｂ  ひも３７  雄マジックテープ３８  パッド一端部３９  パッド他端部４０  帽子本体・パッド締結部
【図１】
2014066000.tif 000003
【図５】
2014066000.tif 000004
【図６】
2014066000.tif 000005
【図７】
2014066000.tif 000006
【図８】
2014066000.tif 000007
【図９】
2014066000.tif 000008
【図２】
2014066000.tif 000009
【図３】
2014066000.tif 000010
【図４】
2014066000.tif 000011
【手続補正書】
【提出日】平成25年11月20日(2013.11.20)
【手続補正１】
【補正対象書類名】明細書
【補正対象項目名】００７８
【補正方法】変更
【補正の内容】
【００７８】
【図１】本発明に関わる実施形態の帽子を装着した状況を示す側面図である。
【図２】本発明に関わる実施形態の帽子の斜視図である。
【図３】本発明に関わる実施形態の帽子本体を下方から内側を見る方向にみた図である。
【図４】本発明に関わる実施形態のパッドを示す図である。
【図５】本発明に関わる実施形態の帽子本体とパッドとの相対関係を示す概略側面図である。
【図６】図５においてパッドが変形した状態における本発明に関わる実施形態の帽子本体とパッドとの相対関係を示す概略側面図である。
【図７】本発明に関わる実施形態の帽子を装着する状態を示す側面図である。
【図８】本発明に関わる実施形態の帽子を装着する状態を示す背面図（後頭部側から見た図）である。
【図９】本発明に関わる別の実施形態におけるパッドの形状を表す平面図である。